(57)【要約】【課題】構造が簡単で、不用意に配線カバー部材が外れることがなく、配線カバー部材の開閉動作や設置状態を安定したものとすることができる配線カバー部材を取り外すことができるようにしたデスクの配線カバー部材の開閉部構造を提供すること。【解決手段】デスク１の横架部材１１に取り付けられる軸部材３と、配線カバー部材２に取り付けられ、軸部材３に着脱かつ揺動可能に軸支される軸受部材４とからなり、軸部材３が、円柱形状の揺動用軸部３１と、この揺動用軸部３１の揺動軸と同軸の、円柱に面取り３２ａを形成した形状の着脱用軸部３２とを有し、軸受部材４が、揺動用軸部３１を軸支し、揺動用軸部３１が揺動軸と直交する方向に抜け出る開口部を形成したＵ字状の揺動用軸受部４１と、着脱用軸部３２を軸支し、着脱用軸部３２の面取り３２ａを形成した位置で、着脱用軸部３２が揺動軸と直交する方向に抜け出る開口部を形成した着脱用軸受部４２とを有する。【選択図】図１
2019092992.tif 000002
【特許請求の範囲】
【請求項１】
配線カバー部材を取り外すことができるようにしたデスクの配線カバー部材の開閉部構造において、
デスクの横架部材に取り付けられる軸部材と、配線カバー部材に取り付けられ、軸部材に着脱かつ揺動可能に軸支される軸受部材とからなり、
軸部材が、円柱形状の揺動用軸部と、該揺動用軸部の揺動軸と同軸の、円柱に面取りを形成した形状の着脱用軸部とを有し、
軸受部材が、揺動用軸部を軸支し、揺動用軸部が揺動軸と直交する方向に抜け出る開口部を形成したＵ字状の揺動用軸受部と、着脱用軸部を軸支し、着脱用軸部の面取りを形成した位置で、着脱用軸部が揺動軸と直交する方向に抜け出る開口部を形成した着脱用軸受部とを有する
ことを特徴とするデスクの配線カバー部材の開閉部構造。
【請求項２】
前記着脱用軸部の面取りの形成位置を、配線カバー部材の着脱位置が配線カバー部材の揺動範囲の途中位置になるように設定するようにしたことを特徴とする請求項１に記載のデスクの配線カバー部材の開閉部構造。
【請求項３】
前記着脱用軸受部が、少なくとも配線カバー部材の閉塞位置で、着脱用軸部を軸支してなることを特徴とする請求項１又は２に記載のデスクの配線カバー部材の開閉部構造。
【発明の詳細な説明】
【技術分野】
【０００１】
本発明は、デスクの配線カバー部材の開閉部構造に関するものである。
【背景技術】
【０００２】
従来、事務用のデスクやテーブル（本明細書において、単に、「デスク」という。）においては、デスクで使用するパソコンや照明装置等の電子・電気機器の配線を収容するために、デスクの天板の後部に、デスクの幅方向に連続する凹溝を形成し、その上面を配線カバー部材で閉塞するようにしたものが汎用されている。
【０００３】
ところで、配線カバー部材を開いた状態では、凹溝の上方に配線カバー部材が位置するため、凹溝の開口面積が小さくなってしまい、配線の通線作業が行いにくくなる等の問題があった。
【０００４】
この問題に対処するため、配線カバー部材を取り外すことができるようにしたデスクの配線カバー部材の開閉部構造が提案され、実用化されている（例えば、特許文献１〜２参照。）。
【先行技術文献】
【特許文献】
【０００５】
【特許文献１】特許第４６７４３２０号公報
【特許文献２】特許第６０１９１４５号公報
【発明の概要】
【発明が解決しようとする課題】
【０００６】
ところで、従来の配線カバー部材を取り外すことができるようにしたデスクの配線カバー部材の開閉部構造は、構造が複雑であったり、構造上配線カバー部材の支持位置に制約があったり、不用意に配線カバー部材が外れたり、配線カバー部材の開閉動作や設置状態が安定しないという問題があった。
【０００７】
本発明は、上記従来のデスクの配線カバー部材の開閉部構造の有する問題点に鑑み、構造が簡単で、不用意に配線カバー部材が外れることがなく、配線カバー部材の開閉動作や設置状態を安定したものとすることができる配線カバー部材を取り外すことができるようにしたデスクの配線カバー部材の開閉部構造を提供することを目的とする。
【課題を解決するための手段】
【０００８】
上記目的を達成するため、本発明のデスクの配線カバー部材の開閉部構造は、配線カバー部材を取り外すことができるようにしたデスクの配線カバー部材の開閉部構造において、デスクの横架部材に取り付けられる軸部材と、配線カバー部材に取り付けられ、軸部材に着脱かつ揺動可能に軸支される軸受部材とからなり、軸部材が、円柱形状の揺動用軸部と、該揺動用軸部の揺動軸と同軸の、円柱に面取りを形成した形状の着脱用軸部とを有し、軸受部材が、揺動用軸部を軸支し、揺動用軸部が揺動軸と直交する方向に抜け出る開口部を形成したＵ字状の揺動用軸受部と、着脱用軸部を軸支し、着脱用軸部の面取りを形成した位置で、着脱用軸部が揺動軸と直交する方向に抜け出る開口部を形成した着脱用軸受部とを有することを特徴とする。
【０００９】
この場合において、前記着脱用軸部の面取りの形成位置を、配線カバー部材の着脱位置が配線カバー部材の揺動範囲の途中位置になるように設定することができる。
【００１０】
また、前記着脱用軸受部が、少なくとも配線カバー部材の閉塞位置で、着脱用軸部を軸支してなるようにすることができる。
【発明の効果】
【００１１】
本発明のデスクの配線カバー部材の開閉部構造によれば、構造が簡単で、配線カバー部材の支持位置に制約がなく、また、不用意に配線カバー部材が外れることがなく、配線カバー部材の開閉動作や設置状態を安定したものとすることができる。
【００１２】
また、前記着脱用軸部の面取りの形成位置を、配線カバー部材の着脱位置が配線カバー部材の揺動範囲の途中位置になるように設定することにより、不用意に配線カバー部材が外れることを確実に防止することができる。
【００１３】
また、前記着脱用軸受部が、少なくとも配線カバー部材の閉塞位置で、着脱用軸部を軸支してなるようにすることにより、配線カバー部材の閉塞位置で、配線カバー部材の浮き上がりを防止し、設置状態を一層安定したものとすることができる。
【図面の簡単な説明】
【００１４】
【図１】本発明のデスクの配線カバー部材の開閉部構造の一実施例を示す、配線カバー部材の閉塞位置における断面図である。
【図２】同配線カバー部材の閉塞位置における着脱用軸部及び揺動用軸受部の断面図である。
【図３】同配線カバー部材の閉塞位置における着脱用軸部及び揺動用軸受部の拡大断面図である。
【図４】同配線カバー部材の開放位置における断面図である。
【図５】同配線カバー部材の開放位置における着脱用軸部及び着脱用軸受部の断面図である。
【図６】同配線カバー部材の開放位置における着脱用軸部及び着脱用軸受部の拡大断面図である。
【図７】同配線カバー部材の着脱位置における断面図である。
【図８】同配線カバー部材の着脱位置（配線カバー部材を離脱させた状態）における着脱用軸部及び着脱用軸受部の断面図である。
【図９】同配線カバー部材の着脱位置（配線カバー部材を離脱させた状態）における着脱用軸部及び着脱用軸受部の拡大断面図である。
【図１０】同配線カバー部材の閉塞位置における軸部材及び軸受部材の外観斜視図である。
【図１１】同配線カバー部材の着脱位置における軸部材及び軸受部材の外観斜視図である。
【図１２】同配線カバー部材の着脱位置における軸部材及び軸受部材の外観斜視図（着脱用軸部及び着脱用軸受部の断面図）である。
【図１３】同配線カバー部材の着脱位置（配線カバー部材を離脱させた状態）における軸部材及び軸受部材の外観斜視図である。
【発明を実施するための形態】
【００１５】
以下、本発明のデスクの配線カバー部材の開閉部構造の実施の形態を、図面に基づいて説明する。
【００１６】
図１〜図１３に、本発明のデスクの配線カバー部材の開閉部構造の一実施例を示す。
このデスクの配線カバー部材の開閉部構造は、デスク１から配線カバー部材２を取り外すことができるようにしたもので、デスク１の横架部材１１に取り付けられる軸部材３と、配線カバー部材２に取り付けられ、軸部材３に着脱かつ揺動可能に軸支される軸受部材４とからなり、軸部材３が、円柱形状の揺動用軸部３１と、この揺動用軸部３１の揺動軸と同軸の、円柱に面取り３２ａを形成した形状の着脱用軸部３２とを有し、軸受部材４が、揺動用軸部３１を軸支し、揺動用軸部３１が揺動軸と直交する方向に抜け出る開口部を形成したＵ字状の揺動用軸受部４１と、着脱用軸部３２を軸支し、着脱用軸部３２の面取り３２ａを形成した位置で、着脱用軸部３２が揺動軸と直交する方向に抜け出る開口部を形成した着脱用軸受部４２とを有するようにしている。
【００１７】
この場合において、軸部材３は、デスク１の横架部材１１の任意の位置に取り付けることができ、また、これと対応するように、軸受部材４は、配線カバー部材２の任意の位置に取り付けることができ、また、長尺の配線カバー部材２の場合には、必要に応じて、それぞれ３箇所以上の位置に取り付けることができる。
これにより、構造が簡単で、配線カバー部材の支持位置に制約のないデスクの配線カバー部材の開閉部構造とすることができる。
【００１８】
また、軸部材３には、着脱用軸部３２を挟んでその両側に揺動用軸部３１を設けるようにし、軸受部材４には、これと対応するように、着脱用軸受部４２を挟んでその両側に揺動用軸受部４１を設けるようにしている。
【００１９】
揺動用軸部３１を軸支するＵ字状をした揺動用軸受部４１は、配線カバー部材２が閉塞位置にあるときに、上方側に弧状の軸受面を形成し、揺動用軸部３１が揺動軸と直交する方向に抜け出る開口部を下方側に向けて形成するようにしている。
一方、着脱用軸部３２を軸支する着脱用軸受部４２は、配線カバー部材２が閉塞位置にあるときに、揺動用軸受部４１の軸受面がない下方側に、これを補完するように軸受面を形成し、着脱用軸部３２の面取り３２ａを形成した位置で、着脱用軸部３２が揺動軸と直交する方向に抜け出る開口部を形成する（本実施例においては、開口部の両側に軸受面を形成する。）ようにしている。
なお、揺動用軸受部４１及び着脱用軸受部４２の軸受面及び開口部を形成する位置は、配線カバー部材２を着脱する位置の設定に合わせて変更するようにする。
【００２０】
そして、本実施例においては、着脱用軸部３２の面取り３２ａの形成位置を、配線カバー部材２の着脱位置が配線カバー部材２の揺動範囲の途中位置、より具体的には、配線カバー部材２が閉塞位置にある状態から角度θ（約１５°）だけ揺動した位置になるように設定するようにしている。
なお、角度θは、任意の角度に設定することができるが、配線カバー部材２の開閉時に配線カバー部材２を揺動させる力が、着脱用軸部３２が着脱用軸受部４２の開口部から抜け出る方向に作用しない１０°〜３０°の範囲に設定することが好ましい。
これにより、不用意に配線カバー部材２が外れることを確実に防止することができる。
【００２１】
また、着脱用軸受部４２が、配線カバー部材２が閉塞位置にあるときに、揺動用軸受部４１の軸受面がない下方側に、これを補完するように軸受面を形成し、着脱用軸部３２の面取り３２ａを形成した位置で、着脱用軸部３２が揺動軸と直交する方向に抜け出る開口部を形成する（本実施例においては、開口部の両側に軸受面を形成する。）ようにすることで、少なくとも配線カバー部材２の閉塞位置で、着脱用軸部３２を軸支してなるようにしている。
また、これと併せて、配線カバー部材２が閉塞位置にあるときに、軸部材３の当接面３３と軸受部材４の当接面４３とが当接することで、配線カバー部材２を、軸受部材４を介して、軸部材３によって支持するようにしている。
これにより、配線カバー部材２の閉塞位置で、配線カバー部材２の浮き上がりや沈みを防止し、設置状態を一層安定したものとすることができる。
【００２２】
以上、本発明のデスクの配線カバー部材の開閉部構造について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のデスクの配線カバー部材の開閉部構造は、構造が簡単で、不用意に配線カバー部材が外れることがなく、配線カバー部材の開閉動作や設置状態を安定したものとすることができる配線カバー部材を取り外すことができる特性を有していることから、事務用のデスクやテーブルの配線カバー部材の開閉部構造に好適に用いることができる。
【符号の説明】
【００２４】
１  デスク
１１  横架部材
２  配線カバー部材
３  軸部材
３１  揺動用軸部
３２  着脱用軸部
３２ａ  面取り
３３  当接面
４  軸受部材
４１  揺動用軸受部
４２  着脱用軸受部
４３  当接面
【図１】
2019092992.tif 000003
【図２】
2019092992.tif 000004
【図３】
2019092992.tif 000005
【図４】
2019092992.tif 000006
【図５】
2019092992.tif 000007
【図６】
2019092992.tif 000008
【図７】
2019092992.tif 000009
【図８】
2019092992.tif 000010
【図９】
2019092992.tif 000011
【図１０】
2019092992.tif 000012
【図１１】
2019092992.tif 000013
【図１２】
2019092992.tif 000014
【図１３】
2019092992.tif 000015